(57)【要約】【課題】印刷物を取りに来たユーザーの利便性を向上させる。【解決手段】画像形成装置は、印刷ジョブの実行要求を受信する通信部と、印刷ジョブを実行する印刷部と、印刷部が実行を保留した印刷ジョブを保存する記憶部と、処理開始時点になったとき、記憶部に保存されている全ての印刷ジョブを処理対象に設定し、処理対象に設定した印刷ジョブに予め定められた点数を持ち点として割り当て、所定条件を満たす印刷ジョブの持ち点に加点する処理および所定条件を満たす印刷ジョブの持ち点を減点する処理の少なくとも一方を行い、持ち点が閾値点数以上になった印刷ジョブを印刷部に実行させる制御部と、を備える。【選択図】図３
2018069686.tif 000002
【特許請求の範囲】
【請求項１】
印刷ジョブの実行要求を受信する通信部と、
前記印刷ジョブを実行する印刷部と、
前記印刷部が実行を保留した前記印刷ジョブを保存する記憶部と、
予め定められた処理開始時点になったとき、前記記憶部に保存されている全ての前記印刷ジョブを処理対象に設定し、前記処理対象に設定した前記印刷ジョブに予め定められた点数を持ち点として割り当て、所定条件を満たす前記印刷ジョブの前記持ち点に加点する処理および前記所定条件を満たす前記印刷ジョブの前記持ち点を減点する処理の少なくとも一方を行い、前記持ち点が予め定められた閾値点数以上になった前記印刷ジョブを前記印刷部に実行させる制御部と、を備えることを特徴とする画像形成装置。
【請求項２】
前記制御部は、前記処理対象に設定した全ての前記印刷ジョブについて、前記印刷ジョブが前記記憶部に保存されてから前記処理開始時点までの期間である保存期間を認識し、前記保存期間が予め定められた閾値期間以上の前記印刷ジョブが前記所定条件を満たす前記印刷ジョブであると判断して前記保存期間が前記閾値期間以上の前記印刷ジョブの前記持ち点を減点する処理を行う、または、前記保存期間が前記閾値期間未満の前記印刷ジョブが前記所定条件を満たす前記印刷ジョブであると判断して前記保存期間が前記閾値期間未満の前記印刷ジョブの前記持ち点に加点する処理を行うことを特徴とする請求項１に記載の画像形成装置。
【請求項３】
前記制御部は、前記処理対象に設定した全ての前記印刷ジョブについて、前記印刷ジョブの実行により印刷される印刷枚数を認識し、前記印刷枚数が予め定められた閾値枚数未満の前記印刷ジョブが前記所定条件を満たす前記印刷ジョブであると判断して前記印刷枚数が前記閾値枚数未満の前記印刷ジョブの前記持ち点を減点する処理を行う、または、前記印刷枚数が前記閾値枚数以上の前記印刷ジョブが前記所定条件を満たす前記印刷ジョブであると判断して前記印刷枚数が前記閾値枚数以上の前記印刷ジョブの前記持ち点に加点する処理を行うことを特徴とする請求項１または２に記載の画像形成装置。
【請求項４】
前記制御部は、前記処理対象に設定した全ての前記印刷ジョブについて、前記印刷ジョブの実行を要求した要求元が他の前記印刷ジョブと同じであるか否かを判断するとともに、前記要求元が他の前記印刷ジョブと同じ前記印刷ジョブを同一要求元ジョブとして認識し、前記同一要求元ジョブが前記所定条件を満たす前記印刷ジョブであると判断して前記同一要求元ジョブの前記持ち点に加点する処理を行う、または、前記同一要求元ジョブ以外の前記印刷ジョブが前記所定条件を満たす前記印刷ジョブであると判断して前記同一要求元ジョブ以外の前記印刷ジョブの前記持ち点を減点する処理を行うことを特徴とする請求項１〜３のいずれか１項に記載の画像形成装置。
【請求項５】
前記制御部は、前記持ち点が前記閾値点数以上になった前記同一要求元ジョブが存在するとき、前記持ち点が前記閾値点数以上になった前記同一要求元ジョブと前記要求元が同じ全ての前記同一要求元ジョブを前記印刷部に実行させることを特徴とする請求項４に記載の画像形成装置。
【請求項６】
前記印刷ジョブの実行によって得られた印刷物が排出される排出トレイと、
前記印刷物が前記排出トレイに排出されているか否かに応じて出力値が変化する排出検知部と、を備え、
前記制御部は、前記処理開始時点になったとき、前記印刷物が排出されていない前記排出トレイが存在するか否かを前記排出検知部の出力値に基づき検知し、前記印刷物が排出されていない前記排出トレイが存在しなければ前記処理対象に設定した全ての前記印刷ジョブが前記所定条件を満たす前記印刷ジョブであると判断して前記処理対象に設定した全ての前記印刷ジョブの前記持ち点を減点する処理を行う、または、前記印刷物が排出されていない前記排出トレイが存在すれば前記処理対象に設定した全ての前記印刷ジョブが前記所定条件を満たす前記印刷ジョブであると判断して前記処理対象に設定した全ての前記印刷ジョブの前記持ち点に加点する処理を行うことを特徴とする請求項１〜５のいずれか１項に記載の画像形成装置。
【請求項７】
前記制御部は、前記排出検知部の出力値に基づき前記印刷物が前記排出トレイに排出されている状態から排出されていない状態になったことを検知したとき、前記処理開始時点になったと判断することを特徴とする請求項６に記載の画像形成装置。
【請求項８】
前記印刷部は、前記印刷ジョブの実行時に用紙を加熱して用紙に画像を定着させる定着部と、前記定着部の温度に応じて出力値が変化する温度検知部と、を含み、
前記制御部は、前記処理開始時点になったとき、前記定着部の温度を前記温度検知部の出力値に基づき検知し、前記定着部の温度が予め定められた閾値温度以上であれば前記処理対象に設定した全ての前記印刷ジョブが前記所定条件を満たす前記印刷ジョブであると判断して前記処理対象に設定した全ての前記印刷ジョブの前記持ち点に加点する処理を行うことを特徴とする請求項１〜７のいずれか１項に記載の画像形成装置。
【請求項９】
前記制御部は、前記温度検知部の出力値に基づき前記定着部の温度が前記閾値温度よりも低い温度から前記閾値温度に達したことを検知したとき、前記処理開始時点になったと判断することを特徴とする請求項８に記載の画像形成装置。
【請求項１０】
前記制御部は、前記処理対象に設定した前記印刷ジョブを複数連続して前記印刷部に実行させるとき、前記印刷部に実行させる複数の前記印刷ジョブの実行順を前記印刷ジョブの実行を要求した要求元単位で並び替えることを特徴とする請求項１〜９のいずれか１項に記載の画像形成装置。
【請求項１１】
前記印刷ジョブの実行によって得られた印刷物の仕分けを行う仕分け装置を備え、
前記制御部は、前記処理対象に設定した前記印刷ジョブを複数連続して前記印刷部に実行させるとき、前記印刷部に実行させる複数の前記印刷ジョブの前記印刷物を前記印刷ジョブの実行を要求した要求元単位で仕分ける処理を前記仕分け装置に行わせることを特徴とする請求項１〜１０のいずれか１項に記載の画像形成装置。
【発明の詳細な説明】
【技術分野】
【０００１】
本発明は、印刷ジョブの実行が可能な画像形成装置に関する。
【背景技術】
【０００２】
従来、所定時間帯に入力された印刷ジョブの実行を保留する画像形成装置が知られている（たとえば、特許文献１参照）。特許文献１の画像形成装置は、消費電力ピーク時間帯に印刷ジョブが入力されたとき、当該印刷ジョブに急ぎ印刷指示が含まれていなければ、当該印刷ジョブを記憶する。すなわち、画像形成装置に入力された印刷ジョブの実行を保留する。
【０００３】
そして、特許文献１の画像形成装置は、現在時刻が消費電力ピーク時間帯でなくなったとき、記憶部に記憶した印刷ジョブを実行する。このとき、実行が保留され記憶部に記憶された全ての印刷ジョブが連続して実行される。
【先行技術文献】
【特許文献】
【０００４】
【特許文献１】特開２０１３−５９９２２号公報
【発明の概要】
【発明が解決しようとする課題】
【０００５】
特許文献１の画像形成装置では、現在時刻が消費電力ピーク時間帯でなくなったとき、実行が保留された全ての印刷ジョブが連続して実行される。すなわち、実行が保留された全ての印刷ジョブの印刷物が排出トレイにまとめて排出される。
【０００６】
ここで、実行が保留された印刷ジョブが少数である場合には、実行が保留された全ての印刷ジョブの印刷物が排出トレイにまとめて排出されても、排出トレイに排出された印刷物の仕分け作業は簡単に行える。しかし、消費電力ピーク時間帯の長さによっては、非常に多くの印刷ジョブの実行が保留される場合がある。この場合、実行が保留された全ての印刷ジョブの印刷物がまとめて排出トレイに排出されると、非常に多くの印刷ジョブの印刷物が混在した状態になる。その結果、仕分け作業に手間がかかる（長時間を要する）ので、印刷物を取りに来たユーザーの利便性が低下する。
【０００７】
本発明は、上記課題を解決するためになされたものであり、印刷物を取りに来たユーザーの利便性を向上させることが可能な画像形成装置を提供することを目的とする。
【課題を解決するための手段】
【０００８】
上記目的を達成するため、本発明の画像形成装置は、印刷ジョブの実行要求を受信する通信部と、印刷ジョブを実行する印刷部と、印刷部が実行を保留した印刷ジョブを保存する記憶部と、予め定められた処理開始時点になったとき、記憶部に保存されている全ての印刷ジョブを処理対象に設定し、処理対象に設定した印刷ジョブに予め定められた点数を持ち点として割り当て、所定条件を満たす印刷ジョブの持ち点に加点する処理および所定条件を満たす印刷ジョブの持ち点を減点する処理の少なくとも一方を行い、持ち点が予め定められた閾値点数以上になった印刷ジョブを印刷部に実行させる制御部と、を備える。
【０００９】
本発明の構成では、制御部は、処理開始時点になったとき、記憶部に保存されている全ての印刷ジョブ（実行を保留した印刷ジョブ）に持ち点を割り当て、所定条件を満たす印刷ジョブの持ち点に加点する処理および所定条件を満たす印刷ジョブの持ち点を減点する処理の少なくとも一方を行うことにより、所定条件を満たす印刷ジョブの持ち点を増減させる。なお、所定条件を満たさない印刷ジョブの持ち点は増減されない。その後、制御部は、持ち点が閾値点数以上になった印刷ジョブだけを印刷部に実行させる。これにより、持ち点が閾値点数以上になった印刷ジョブの印刷物だけが排出される（非常に多くの印刷ジョブの印刷物がまとめて排出されるのを抑制することができる）ので、当該排出された印刷物を仕分ける仕分け作業が容易になり、印刷物を取りに来たユーザーの利便性が向上する。
【発明の効果】
【００１０】
本発明の構成では、印刷物を取りに来たユーザーの利便性を向上させることができる。
【図面の簡単な説明】
【００１１】
【図１】本発明の一実施形態による画像形成装置の構成を示す図
【図２】本発明の一実施形態による画像形成装置のハードウェア構成を示す図
【図３】本発明の一実施形態による画像形成装置にて行われる許可判断処理の流れを示すフローチャート
【図４】本発明の一実施形態による画像形成装置にて行われる加点処理および減点処理について説明するための図
【発明を実施するための形態】
【００１２】
＜画像形成装置の全体構成＞
図１に示すように、本実施形態の画像形成装置１００は、画像読取部１を備える。画像読取部１は、ランプやイメージセンサーなどの光学系部材を含み、原稿を光学的に読み取って原稿の画像データを生成する。
【００１３】
また、画像形成装置１００は、印刷ジョブを実行する印刷部２を備える。印刷部２は、印刷ジョブの実行時に、画像形成装置１００に入力された画像データに基づく画像を用紙Ｐに印刷する。たとえば、印刷部２は、画像読取部１が読み取った原稿の画像データに基づく画像を用紙Ｐに印刷する印刷ジョブ（コピージョブ）を実行する。あるいは、印刷部２は、後述する外部機器２００（図２参照）から送信され画像形成装置１００が受信した画像データに基づく画像を用紙Ｐに印刷する印刷ジョブを実行する。
【００１４】
印刷部２は、印刷ジョブの実行時に、用紙搬送路２０に沿って用紙Ｐを搬送するとともに、画像データに基づきトナー像（画像）を形成し、搬送中の用紙Ｐにトナー像を転写（印刷）する。用紙搬送路２０への用紙Ｐの給紙は給紙部２１によって行われる。トナー像の形成およびトナー像の用紙Ｐへの転写は画像形成部２２によって行われる。
【００１５】
また、印刷部２は、用紙Ｐに転写されたトナー像を用紙Ｐに定着させるための定着部２３を備える。定着部２３は、加熱ローラー２３１ａと加圧ローラー２３１ｂとで構成される定着ローラー対２３１を含む。加熱ローラー２３１ａは、ヒーター２３２を内蔵する。加圧ローラー２３１ｂは、加熱ローラー２３１ａに圧接し、加熱ローラー２３１ａとの間で定着ニップを形成する。
【００１６】
定着ローラー対２３１は、印刷ジョブの実行時にヒーター２３２によって予め定められた定着制御温度に温められる。そして、定着ローラー対２３２は、定着ニップを通過する用紙Ｐを加熱および加圧することにより、用紙Ｐに転写されたトナー像を用紙Ｐに定着させる。
【００１７】
また、画像形成装置１００は、操作パネル３を備える。操作パネル３は、タッチパネルディスプレイを含む。タッチパネルディスプレイは、ソフトウェアキーやメッセージなどを配した画面を表示し、画面（ソフトウェアキー）に対するタッチ操作を受け付ける。なお、操作パネル３には、ジョブの実行指示を受け付けるためのスタートキーなど、複数種のハードウェアキーも設けられる。
【００１８】
ここで、画像形成装置１００は、複数の排出トレイ４１を含む仕分け装置４を備える。仕分け装置４は、印刷部２による印刷ジョブの実行によって得られた印刷物（画像が印刷された印刷済み用紙Ｐ）の搬入を印刷部２から受け入れる。そして、仕分け装置４は、複数の排出トレイ４１のいずれかに印刷物を排出する。
【００１９】
仕分け装置４は、複数の印刷ジョブ分の印刷物を同一の排出トレイ４１に排出するときに、先行ジョブの印刷物および後行ジョブの印刷物の各排出位置を幅方向（印刷物の排出方向と直交する方向）にずらすシフト機能を搭載する。さらに、仕分け装置４にステープル機能を搭載してもよい。
【００２０】
なお、画像形成装置１００に仕分け装置４が装着されなくてもよい。この場合には、用紙搬送路２０の搬送方向の最下流側に排出トレイ４１が１つだけ設けられる。また、仕分け装置４に設けられる排出トレイ４１が１つだけでもよい。
【００２１】
＜画像形成装置のハードウェア構成＞
図２に示すように、画像形成装置１００は、制御部１１０、記憶部１２０および通信部１３０を備える。制御部１１０、記憶部１２０および通信部１３０は、バスを介して互いに通信可能に接続される。
【００２２】
制御部１１０は、画像読取部１、印刷部２および操作パネル３と接続される。そして、制御部１１０は、画像読取部１の読取動作や印刷部２の印刷動作の制御を行う。また、制御部１１０は、操作パネル３の表示動作の制御を行うとともに、操作パネル３に対して行われた操作の検知を行う。
【００２３】
制御部１１０は、印刷部２の印刷動作を制御する処理として、定着部２３の温度を制御する温度制御処理を行う。温度制御処理を行うため、制御部１１０には温度検知部２４が接続される。
【００２４】
温度検知部２４は、定着部２３の温度に応じた電圧を出力する温度センサーである。たとえば、温度検知部２４は、サーミスターを含む回路からなる。サーミスターは、定着ローラー対２３１の近傍に配置されており、定着ローラー対２３１の温度に応じて抵抗値を変化させる。すなわち、温度検知部２４の出力電圧値は、定着部２３の温度に応じて変化する。
【００２５】
制御部１１０は、温度検知部２４の出力値に基づき定着部２３の温度を検知し、当該検知した温度に基づき温度制御処理を行う。たとえば、制御部１１０は、ヒーター２３２への電力供給のオンオフを切り替えることにより、印刷ジョブの実行に際して定着部２３の温度を定着制御温度に昇温させ、印刷ジョブが終了するまで定着部２３の温度を定着制御温度に維持する。そして、制御部１１０は、印刷ジョブが終了すると、ヒーター２３２への電力供給をオフする。したがって、印刷ジョブが終了して以降、定着部２３は徐々に冷めていく（定着部２３の温度が定着制御温度よりも低くなる）。
【００２６】
また、制御部１１０は、仕分け装置４と接続され、仕分け装置４の仕分け動作の制御を行う。さらに、制御部１１０は、印刷ジョブの実行に際して、複数の排出トレイ４１のいずれに印刷ジョブの印刷物を排出させるかを設定する排出先設定を行う。排出先設定を行うため、制御部１１０には排出検知部４２が接続される。
【００２７】
排出検知部４２は、複数の排出トレイ４１のそれぞれに１つずつ設けられる（図１参照）。そして、複数の排出検知部４２は、それぞれ、対応する排出トレイ４１における印刷物の有無（印刷物が排出されたまま残っているか否か）に応じて出力値を変化させる。
【００２８】
たとえば、排出検知部４２は、発光部および受光部を含む光センサーとアクチュエーターとを含む。アクチュエーターは、排出トレイ４１に印刷物が排出されたとき（印刷物が存在するとき）、印刷物に当接することによって回動し、光センサーの光路を遮断（または開放）する。一方で、アクチュエーターは、排出トレイ４１から印刷物が持ち去られたとき（印刷物が存在しないとき）、印刷物との当接が解除されることによって元のポジションに戻り、光センサーの光路を開放（または遮断）する。これにより、排出検知部４２の出力値は、排出トレイ４１に印刷物が排出されているときと排出されていないときとで変化する。
【００２９】
制御部１１０は、排出先設定を行うとき、複数の排出検知部４２の各出力値に基づき、複数の排出トレイ４１のうち印刷物が排出されていない排出トレイ４１を検知する。そして、制御部１１０は、印刷物が排出されていない排出トレイ４１を排出先に設定する。印刷物が排出されていない排出トレイ４１が複数存在する場合には、デフォルトの排出トレイ４１が優先的に排出先に設定される。デフォルトの排出トレイ４１に印刷物が排出されている場合には、たとえば、印刷物が排出されていない排出トレイ４１のうちより上段に設置された排出トレイ４１が優先的に排出先に設定される。なお、制御部１１０は、ユーザーによって排出先が指定されていれば、ユーザー指定の排出先に印刷物が既に排出されているか否かにかかわらず、ユーザー指定の排出先に印刷物を排出させる。
【００３０】
制御部１１０は、ＣＰＵ１１１およびメモリー１１２（ＲＯＭおよびＲＡＭなど）を含む。ＣＰＵ１１１は、制御用のプログラムおよびデータに基づき動作する。メモリー１１２は、ＣＰＵ１１１を動作させるための制御用のプログラムおよびデータを記憶する。
【００３１】
また、制御部１１０は、画像処理モジュール１１３を含む。画像処理モジュール１１３は、画像処理用の回路およびメモリーなどで構成される。そして、制御部１１０は、画像処理モジュール１１３を用いて、拡大／縮小、濃度変換およびデータ形式変換など種々の画像処理を印刷すべき画像の画像データに対して行う。
【００３２】
たとえば、制御部１１０は、印刷ジョブの実行時に、印刷すべき画像の画像データをメモリー１１２に転送し一旦格納する。そして、制御部１１０は、メモリー１１２に格納した画像データに対して画像処理を施し、画像形成部２２で行われる露光処理（印刷すべき画像に対応する静電潜像を形成する処理）を制御するための露光用データを生成する。
【００３３】
記憶部１２０は、ＲＯＭ（ＥＥＰＲＯＭなど）やＨＤＤなどの不揮発性の記憶デバイスを含む。制御部１１０は、記憶部１２０からのデータの読み出しを行うとともに、記憶部１２０へのデータの書き込みを行う。たとえば、記憶部１２０には、印刷部２が実行を保留した印刷ジョブが保存される。詳細は後述する。
【００３４】
通信部１３０は、画像形成装置１００に外部機器２００を通信可能に接続するためのインターフェースであり、通信回路やメモリー、通信用コネクターなどを含む。制御部１１０は、通信部１３０を介して、外部機器２００と通信する。
【００３５】
たとえば、画像形成装置１００には、パーソナルコンピューターやファクシミリなどが通信可能に接続される。画像形成装置１００に外部機器２００を通信可能に接続し、外部機器２００から画像形成装置１００に対して印刷ジョブの実行要求を送信すると、画像形成装置１００（印刷部２）に印刷ジョブを実行させることができる。印刷ジョブの実行要求には、印刷ジョブの実行条件（たとえば、印刷部数や排出先など）や印刷すべき画像の画像データ、印刷ジョブの実行を要求した要求元を示す要求元情報などが含まれる。たとえば、要求元情報には、印刷ジョブの実行を要求した外部機器２００のユーザー（たとえば、外部機器２００にログインしているユーザー）を示すユーザー情報や、当該ユーザーの所属（たとえば、部署）を示す所属情報などが含まれる。
【００３６】
制御部１１０は、通信部１３０が外部機器２００から通信要求を受信すると、通信部１３０を介して外部機器２００と通信する。当該通信において、外部機器２００から印刷ジョブの実行要求を通信部１３０が受信すると、制御部１００は、印刷ジョブの実行要求を受けたと判断し、印刷ジョブの実行に必要なジョブ処理を行う。このとき、制御部１１０は、印刷ジョブの実行要求に含まれる画像データに対する画像処理や、定着部２３の温度を定着制御温度に昇温させる温度制御処理などをジョブ処理として行う。ただし、印刷ジョブの実行を保留する場合には、ジョブ処理は行われない。
【００３７】
＜印刷ジョブの実行保留＞
画像形成装置１００には、ジョブ保存機能が搭載される。ジョブ保存機能が有効に設定されている場合、制御部１１０は、所定時間帯の間、通信部１３０が印刷ジョブの実行要求を受信しても、印刷部２に印刷ジョブを実行させない。すなわち、印刷ジョブの実行が保留される。なお、コピージョブについては、所定時間帯であっても実行可能である。
【００３８】
制御部１１０は、印刷ジョブの実行を保留すると、実行を保留した印刷ジョブを記憶部１２０に保存する。これにより、実行を保留した印刷ジョブの実行要求に含まれるジョブ実行条件や印刷すべき画像の画像データ、要求元情報が記憶部１２０に記憶された状態となる。
【００３９】
印刷ジョブの実行を保留する所定時間帯は任意に変更可能である。たとえば、ジョブ保存機能の有効無効の設定は操作パネル３がユーザーから受け付ける。そして、このとき、ジョブ保存機能を有効にする旨の設定を受け付けると、操作パネル３は、所定時間帯の設定をユーザーから受け付ける。
【００４０】
なお、ユーザーによっては、所定時間帯に印刷ジョブを実行したい場合がある。この場合、画像形成装置１００に印刷ジョブの実行要求を送信するときに、印刷ジョブの実行要求に至急印刷指示を含めればよい。制御部１１０は、至急印刷指示を含む印刷ジョブ（以下、至急印刷ジョブと称する場合がある）の実行要求を通信部１３０が受信すると、所定時間帯であるか否かにかかわらず、至急印刷ジョブを印刷部２に実行させる。
【００４１】
＜印刷ジョブの点数計算＞
制御部１１０は、予め定められた処理開始時点になったとき、記憶部１２０に保存されている全ての印刷ジョブ（実行を保留した印刷ジョブ）について、実行を許可すべきか否かを判断する許可判断処理を行う。そして、制御部１１０は、実行を許可すべき印刷ジョブが存在すれば、当該印刷ジョブを印刷部２に実行させる。
【００４２】
以下に、図３に示すフローチャートを参照し、制御部１１０が行う許可判断処理の流れについて説明する。図３に示すフローチャートは、処理開始時点になったと制御部１１０が判断したときにスタートする。
【００４３】
ここで、制御部１１０は、記憶部１２０に印刷ジョブが保存されている状態で、通信部１３０が新規の印刷ジョブ（至急印刷ジョブを含む）の実行要求を受信したことを検知したとき、処理開始時点になったと判断する。なお、記憶部１２０に印刷ジョブが保存されていない状態であっても、新規の印刷ジョブが至急印刷ジョブではなく、かつ、新規の印刷ジョブの受信時刻が所定時間帯（至急印刷ジョブではない印刷ジョブの実行を保留すべき時間帯）の時刻であれば、制御部１１０は処理開始時点になったと判断する。この場合には、新規の印刷ジョブだけを対象にした許可判断処理が制御部１１０により行われる。
【００４４】
また、制御部１１０は、複数の排出トレイ４１のいずれかに排出されている印刷物が持ち去られたこと（印刷物が排出されている状態から排出されていない状態に変化したこと）を排出検知部４２の出力値に基づき検知したときにも、処理開始時点になったと判断する。画像形成装置１００に設けられた排出トレイ４１が１つだけである場合には、当該１つの排出トレイ４１から印刷物が持ち去られたとき、制御部１１０が処理開始時点になったと判断する。
【００４５】
場合によっては、排出トレイ４１に排出検知部４２が設けられないことがある。この場合、コピージョブが実行されたとき、コピージョブの実行を要求したユーザーが排出トレイ４１に既に排出されている印刷物を持ち去るとして、処理開始時点になったと制御部１１０が判断するよう構成してもよい。あるいは、記憶部１２０に保存されているいずれかの印刷ジョブの実行を要求する操作（保留解除操作）を操作パネル３がユーザーから受け付けたとき、保留解除操作を行ったユーザーが排出トレイ４１に既に排出されている印刷物を持ち去るとして、処理開始時点になったと制御部１１０が判断するよう構成してもよい。
【００４６】
さらに、制御部１１０は、定着部２３の温度が予め定められた閾値温度よりも低い温度から閾値温度に達したことを温度検知部２４の出力値に基づき検知したときにも、処理開始時点になったと判断する。特に限定されないが、定着制御温度以下の温度が閾値温度に設定される（閾値温度が定着制御温度と同じ温度であってもよい）。たとえば、制御部１１０は、コピージョブの実行時に、定着部２３の温度を定着制御温度に昇温させる温度制御処理を行う。したがって、コピージョブの実行時に処理開始時点になったと制御部１１０が判断することになる。また、制御部１１０は、通信部１３０が受信した新規の印刷ジョブの実行時にも温度制御処理を行う。したがって、通信部１３０が受信した新規の印刷ジョブの実行時にも処理開始時点になったと制御部１１０が判断することになる。
【００４７】
制御部１１０が処理開始時点になったと判断すると、ステップＳ１において、制御部１１０は、記憶部１２０に保存されている全ての印刷ジョブを処理対象に設定する。なお、通信部１３０が新規の印刷ジョブの実行要求を受信したことによって処理開始時点になったと制御部１１０が判断した場合であって、新規の印刷ジョブの実行要求の受信時刻が所定時間帯の時刻であった場合には、記憶部１２０に保存されている全ての印刷ジョブが処理対象に設定されるのに加えて、新規の印刷ジョブも処理対象に設定される（ただし、至急印刷ジョブは処理対象に設定されない）。また、この場合、記憶部１２０に印刷ジョブが保存されていなくても、新規の印刷ジョブが処理対象に設定される。
【００４８】
そして、制御部１１０は、処理対象に設定した全ての印刷ジョブに予め定められた点数を持ち点として割り当てる。たとえば、持ち点の初期点数は１００点である。
【００４９】
次に、ステップＳ２において、制御部１１０は、処理対象に設定した全ての印刷ジョブの中から所定条件を満たす印刷ジョブを判別するジョブ判別処理を行う。このとき、制御部１１０は、処理対象に設定した全ての印刷ジョブについて、第１〜第５条件を満たすか否かを判断する処理（第１〜第５判断処理）を行う。そして、制御部１１０は、第１〜第５条件の少なくとも１つを満たす印刷ジョブが存在するとき、当該印刷ジョブが所定条件を満たす印刷ジョブであると判断する。以下に具体的に説明する。
【００５０】
制御部１１０は、ジョブ判別処理を行うため、処理対象に設定した全ての印刷ジョブについて、記憶部１２０に印刷ジョブが保存されてから処理開始時点までの期間である保存期間を認識する。その後、制御部１１０は、処理対象に設定した全ての印刷ジョブについて保存期間が予め定められた閾値期間以上であるか否かを判断する第１判断処理を行う。たとえば、閾値期間は数分〜数時間（たとえば、３０分）である。そして、制御部１１０は、保存期間が閾値期間以上の印刷ジョブ（すなわち、保存期間が長い印刷ジョブ）が第１条件を満たす印刷ジョブであると判断する。
【００５１】
また、制御部１１０は、ジョブ判別処理を行うため、処理対象に設定した全ての印刷ジョブについて、印刷ジョブの実行により印刷される印刷枚数を認識する。その後、制御部１１０は、処理対象に設定した全ての印刷ジョブについて印刷枚数が予め定められた閾値枚数未満であるか否かを判断する第２判断処理を行う。たとえば、閾値枚数は数枚〜数十枚（たとえば、５枚）である。そして、制御部１１０は、印刷枚数が閾値枚数未満の印刷ジョブ（すなわち、印刷枚数が少ない印刷ジョブ）が第２条件を満たす印刷ジョブであると判断する。
【００５２】
また、制御部１１０は、ジョブ判別処理を行うため、処理対象に設定した全ての印刷ジョブについて、印刷ジョブの実行を要求した要求元が他の印刷ジョブと同じであるか否かを判断するとともに、要求元が他の印刷ジョブと同じ印刷ジョブを同一要求元ジョブとして認識する。なお、ユーザー情報で示されるユーザーが互いに同じ２つ以上の印刷ジョブをそれぞれ同一要求元ジョブとしてもよいし、所属情報で示される所属が互いに同じ２つ以上の印刷ジョブをそれぞれ同一要求元ジョブとしてもよい。
【００５３】
その後、制御部１１０は、同一要求元ジョブが第３条件を満たす印刷ジョブであると判断する（第３判断処理）。たとえば、第１ジョブおよび第２ジョブの各要求元が同じであるとする。この場合、第１ジョブの要求元は他の印刷ジョブ（第２ジョブ）と同じであるので、第１ジョブは同一要求元ジョブ（第３条件を満たす印刷ジョブ）と判断される。また、第２ジョブの要求元は他の印刷ジョブ（第１ジョブ）と同じであるので、第２ジョブも同一要求元ジョブ（第３条件を満たす印刷ジョブ）と判断される。
【００５４】
また、制御部１１０は、ジョブ判別処理を行うため、処理開始時点になったとき、排出検知部４２の出力値に基づき、印刷物が排出されていない排出トレイ４１が存在するか否かを判断する。そして、制御部１１０は、印刷物が排出されていない排出トレイ４１が存在するか否かに基づき、処理対象に設定した全ての印刷ジョブについて第４条件を満たすか否かを判断する第４判断処理を行う。
【００５５】
画像形成装置１００に複数の排出トレイ４１が設けられた構成では、複数の排出トレイ４１の全てに印刷物が排出されていれば（印刷物が排出されていない排出トレイ４１が存在しなければ）、処理対象に設定した全ての印刷ジョブが第４条件を満たす印刷ジョブであると制御部１１０が判断する。すなわち、複数の排出トレイ４１のうち印刷物が排出されていない排出トレイ４１が少なくとも１つ存在すれば、処理対象に設定した全ての印刷ジョブが第４条件を満たさない印刷ジョブであると制御部１１０が判断する。また、排出先がユーザーによって指定された印刷ジョブである排出先指定ジョブが処理対象に設定されている場合、ユーザー指定の排出トレイ４１に印刷物が排出されており、ユーザー指定の排出トレイ４１以外のいずれかの排出トレイ４１に印刷物が排出されていなければ、排出先指定ジョブだけが第４条件を満たす印刷ジョブであると制御部１１０が判断してもよい。この場合には、ユーザー指定の排出トレイ４１に印刷物が排出されていなければ、排出先指定ジョブは第４条件を満たさない印刷ジョブであると制御部１１０が判断する。
【００５６】
なお、画像形成装置１００に設けられた排出トレイ４１が１つだけの場合、当該１つの排出トレイ４１に印刷物が排出されていれば、制御部１１０は、処理対象に設定した全ての印刷ジョブが第４条件を満たす印刷ジョブであると判断する。一方で、当該１つの排出トレイ４１に排出物が排出されていなければ、制御部１１０は、処理対象に設定した全ての印刷ジョブが第４条件を満たさない印刷ジョブであると判断する。
【００５７】
また、制御部１１０は、ジョブ判別処理を行うため、処理開始時点になったとき、温度検知部２４の出力値に基づき定着部２３の温度を検知し、当該検知した温度が閾値温度（処理開始時点になったか否かの判断基準となる温度と同じ温度）以上であるか否かを判断する。そして、制御部１１０は、定着部２３の温度が閾値温度以上であれば、処理対象に設定した全ての印刷ジョブが第５条件を満たす印刷ジョブであると判断し、定着部２３の温度が閾値温度未満であれば、処理対象に設定した全ての印刷ジョブが第５条件を満たさない印刷ジョブであると判断する第５判断処理を行う。
【００５８】
所定条件を満たす印刷ジョブの判別後、ステップＳ２からステップＳ３に移行する。ステップＳ３に移行すると、制御部１１０は、所定条件を満たす印刷ジョブ（第１〜第５条件の少なくとも１つを満たす印刷ジョブ）の持ち点に加点する加点処理および所定条件を満たす印刷ジョブの持ち点を減点する減点処理の少なくとも一方を行う。以下に、図４を参照して具体的に説明する。なお、図４に示す例では、４つの印刷ジョブＡ〜Ｄが処理対象に設定されているとする。そして、第１〜第５条件について、満たしている印刷ジョブの欄には「○」を付し、満たしていない印刷ジョブの欄には「×」を付す。また、各欄の括弧内に加減点される点数を示す。
【００５９】
まず、制御部１１０は、第１条件を満たす印刷ジョブ（保存期間が閾値期間以上の印刷ジョブ）を第１計算処理の対象として選択する。そして、制御部１１０は、第１条件を満たす印刷ジョブの現時点の持ち点を減点する処理を第１計算処理として行う。このとき、制御部１１０は、第１条件を満たす印刷ジョブの現時点の持ち点から予め定められた第１点数（たとえば、１０点）を減じる。
【００６０】
図４に示す例では、印刷ジョブＤが第１条件を満たす印刷ジョブである。このため、制御部１１０は、印刷ジョブＤの現時点の持ち点から１０点を減じる。このときには、印刷ジョブＡ〜Ｃの各持ち点は加点も減点もされない。
【００６１】
次に、制御部１１０は、第２条件を満たす印刷ジョブ（印刷枚数が閾値枚数未満の印刷ジョブ）を第２計算処理の対象として選択する。そして、制御部１１０は、第２条件を満たす印刷ジョブの現時点の持ち点（第１計算処理後の持ち点）を減点する処理を第２計算処理として行う。このとき、制御部１１０は、第２条件を満たす印刷ジョブの現時点の持ち点から予め定められた第２点数（たとえば、１０点）を減じる。
【００６２】
図４に示す例では、印刷ジョブＡおよびＤが第２条件を満たす印刷ジョブである。このため、制御部１１０は、印刷ジョブＡおよびＤの現時点の各持ち点から１０点を減じる。このときには、印刷ジョブＢおよびＣの各持ち点は加点も減点もされない。
【００６３】
次に、制御部１１０は、第３条件を満たす印刷ジョブ（他の印刷ジョブと要求元が同じ同一要求元ジョブ）を第３計算処理の対象として選択する。そして、制御部１１０は、第３条件を満たす印刷ジョブの現時点の持ち点（第２計算処理後の持ち点）に加点する処理を第３計算処理として行う。このとき、制御部１１０は、第３条件を満たす印刷ジョブの現時点の持ち点に予め定められた第３点数（たとえば、５点）を加える。
【００６４】
図４に示す例では、印刷ジョブＡおよびＣが第３条件を満たす印刷ジョブである。このため、制御部１１０は、印刷ジョブＡおよびＣの現時点の各持ち点に５点を加える。このときには、印刷ジョブＢおよびＤの各持ち点は加点も減点もされない。
【００６５】
次に、制御部１１０は、第４条件を満たす印刷ジョブを第４計算処理の対象として選択する。なお、画像形成装置１００に複数の排出トレイ４１が設けられた構成では、複数の排出トレイ４１の全てに印刷物が排出されていれば、全ての印刷ジョブが第４計算処理の対象として選択される。画像形成装置１００に１つだけ排出トレイ４１が設けられた構成では、当該１つの排出トレイ４１に印刷物が排出されていれば、全ての印刷ジョブが第４計算処理の対象として選択される。そして、制御部１１０は、第４条件を満たす印刷ジョブの現時点の持ち点（第３計算処理後の持ち点）を減点する処理を第４計算処理として行う。このとき、制御部１１０は、第４条件を満たす印刷ジョブの現時点の持ち点から予め定められた第４点数（たとえば、５点）を減じる。
【００６６】
図４に示す例では、印刷ジョブＡ〜Ｄの全てが第４条件を満たさない。すなわち、処理開始時点になったときに、印刷物が排出されていない排出トレイ４１が存在していたということである。このため、印刷ジョブＡ〜Ｄの各持ち点は加点も減点もされない。
【００６７】
次に、制御部１１０は、第５条件を満たす印刷ジョブ（処理開始時点になったときの定着部２３の温度が閾値温度以上であれば全ての印刷ジョブ）を第５計算処理の対象として選択する。そして、制御部１１０は、第５条件を満たす印刷ジョブの現時点の持ち点（第４計算処理後の持ち点）に加点する処理を第５計算処理として行う。このとき、制御部１１０は、第５条件を満たす印刷ジョブの現時点の持ち点に予め定められた第５点数（たとえば、１５点）を加える。
【００６８】
図４に示す例では、印刷ジョブＡ〜Ｄの全てが第５条件を満たす。すなわち、処理開始時点になったときの定着部２３の温度が閾値温度以上であったということである。このため、制御部１１０は、印刷ジョブＡ〜Ｄの現時点の各持ち点に１５点を加える。
【００６９】
図３に戻り、第１〜第５計算処理が終わると、ステップＳ３からステップＳ４に移行する。ステップＳ４に移行すると、制御部１１０は、第１〜第５計算処理が終わった後の持ち点が予め定められた閾値点数以上になった印刷ジョブを印刷部２に実行させる。なお、閾値点数は任意に変更可能である。処理開始時点になったときに実行される印刷ジョブを増やしたい場合には、閾値点数をより低くすればよく、処理開始時点になったときに実行される印刷ジョブを減らしたい場合には、閾値点数をより高くすればよい。
【００７０】
たとえば、閾値点数を１２０点に設定したとする。この場合、図４に示す例では、印刷ジョブＣだけが実行される。別の例として、閾値点数をより低い１００点に設定したとする。この場合、図４に示す例では、印刷ジョブＣに加えて、印刷ジョブＡおよびＢがさらに実行される。
【００７１】
ここで、制御部１１０は、第１〜第５計算処理が終わった後の持ち点が閾値点数以上になった同一要求元ジョブが存在するとき、持ち点が閾値点数以上になった同一要求元ジョブと要求元が同じ全ての同一要求元ジョブを印刷部２に実行させる。このとき、持ち点が閾値点数以上になった同一要求元ジョブとユーザー情報で示されるユーザーが同じ全ての同一要求元ジョブを印刷部２に実行させてもよいし、持ち点が閾値点数以上になった同一要求元ジョブと所属情報で示される所属が同じ全ての同一要求元ジョブを印刷部２に実行させてもよい。
【００７２】
たとえば、図４に示す例において、印刷ジョブＡおよびＣの各要求元が同じである（印刷ジョブＡおよびＣが同一要求元ジョブである）とする。また、閾値点数が１２０点に設定されていたとする。この場合、持ち点が閾値点数以上になる印刷ジョブは印刷ジョブＣだけとなるが、印刷ジョブＡの要求元が印刷ジョブＣと同じである。したがって、印刷ジョブＣだけでなく、持ち点が閾値点数未満の印刷ジョブＡも実行される。これにより、印刷ジョブＡおよびＣの要求元ユーザーからすると、画像形成装置１００に印刷物を取りに行く回数が１回で済むので、利便性が良い。
【００７３】
また、制御部１１０は、処理対象に設定した印刷ジョブを複数連続して印刷部２に実行させるとき、印刷部２に実行させる複数の印刷ジョブの実行順を要求元単位で並び替える順番並び替え処理を行う。たとえば、図４に示す例において、閾値点数が１００点に設定されている場合には、印刷ジョブＡ〜Ｃが実行される。この場合、制御部１１０は、要求元が互いに同じ印刷ジョブＡおよびＣを連続して実行させる。なお、印刷ジョブＢの実行後に印刷ジョブＡおよびＣを連続して実行してもよいし、印刷ジョブＡおよびＣを連続して実行した後に印刷ジョブＢを実行してもよい（印刷ジョブＡ→印刷ジョブＢ→印刷ジョブＣの順番では実行されない）。これにより、印刷ジョブＡ〜Ｃのいずれかの印刷物を取りに来たユーザー（印刷ジョブＡおよびＣの要求元ユーザーまたは印刷ジョブＢの要求元ユーザー）からすると、自身の印刷物（自身と所属が同じユーザーの印刷物）の選別が容易になるので、利便性が良い。
【００７４】
なお、印刷ジョブＡおよびＣの各印刷物にそれぞれステープルした場合、あるいは、印刷ジョブＢの印刷物をステープルした場合には、印刷ジョブＡ→印刷ジョブＢ→印刷ジョブＣの順番で実行しても、印刷物の選別を簡単に行える。したがって、この場合には、制御部１１０による順番並び替え処理は行われなくてもよい。また、印刷ジョブＡ〜Ｃの各印刷枚数がそれぞれ１枚である場合にも、印刷物の選別を簡単に行えるので、制御部１１０による順番並び替え処理が行われなくてもよい。
【００７５】
また、画像形成装置１００に仕分け装置４が装着される場合、制御部１１０は、処理対象に設定した印刷ジョブを複数連続して印刷部２に実行させるとき、印刷部２に実行させる複数の印刷ジョブの印刷物を要求元単位で仕分ける仕分け処理を仕分け装置４に行わせる。具体的には、仕分け装置４は、仕分け処理として、複数の印刷ジョブの印刷物の各排出先を要求元単位で切り替える。
【００７６】
たとえば、印刷ジョブＡ〜Ｃが実行された場合（印刷ジョブＡおよびＣの各要求元は互いに同じである）、仕分け装置４は、印刷ジョブＡおよびＣの各印刷物を或る排出トレイ４１に排出し、印刷ジョブＢの印刷物を別の排出トレイ４１に排出する。なお、印刷ジョブＡおよびＢの各印刷物の排出先を異ならせてもよい。これにより、印刷ジョブＡ〜Ｃのいずれかの印刷物を取りに来たユーザー（印刷ジョブＡおよびＣの要求元ユーザーまたは印刷ジョブＢの要求元ユーザー）からすると、自身の印刷物（自身と所属が同じユーザーの印刷物）が排出された排出トレイ４１には別の印刷物が排出されないので、印刷物を仕分ける作業を行わなくてもよくなり、利便性が良い。
【００７７】
なお、印刷ジョブＡおよびＣの印刷物を同一の排出トレイ４１に排出する場合、シフト機能を実行することにより、印刷ジョブＡおよびＣの各印刷物の排出位置を異ならせてもよい。また、印刷ジョブＡ〜Ｃの各印刷物を同一の排出トレイ４１に排出する場合（たとえば、印刷物が排出されていない排出トレイ４１が１つしか残っていない場合）にも、シフト機能を実行することにより、印刷ジョブＡ〜Ｃの各印刷物の排出位置を異ならせてもよい。
【００７８】
本実施形態の構成では、制御部１１０は、処理開始時点になったとき、記憶部１２０に保存されている全ての印刷ジョブ（実行を保留した印刷ジョブ）を処理対象に設定し、処理対象に設定した印刷ジョブに持ち点を割り当て、所定条件を満たす印刷ジョブの持ち点に加点する処理および所定条件を満たす印刷ジョブの持ち点を減点する処理の少なくとも一方を行うことにより、所定条件を満たす印刷ジョブの持ち点を増減させる。なお、所定条件を満たさない印刷ジョブの持ち点は増減されない。その後、制御部１１０は、持ち点が閾値点数以上になった印刷ジョブだけを印刷部２に実行させる。これにより、持ち点が閾値点数以上になった印刷ジョブの印刷物だけが排出される（非常に多くの印刷ジョブの印刷物がまとめて排出されるのを抑制することができる）ので、当該排出された印刷物を仕分ける仕分け作業が容易になり、印刷物を取りに来たユーザーの利便性が向上する。さらに、この構成では、持ち点が閾値点数以上になった印刷ジョブだけを印刷部２が実行する（記憶部１２０に保存されている全ての印刷ジョブが実行されるわけではない）ので、印刷中に用紙切れやトナー切れが発生するのを抑制することができる。
【００７９】
ここで、印刷ジョブの実行が保留され、印刷ジョブが保存された場合（ここでは、当該印刷ジョブを保存ジョブと称する）、保存ジョブの実行を要求した要求元ユーザーが保存ジョブの印刷物を直ぐに必要としていなければ、保存ジョブは長期間にわたって保存され続ける。このように長期間にわたって保存され続けている保存ジョブが処理開始時点で強制的に実行されても（保存ジョブの印刷物が排出されても）、保存ジョブの印刷物がそのまま放置される可能性がある。したがって、処理開始時点では、長期間にわたって保存され続けている保存ジョブを敢えて実行しない方が好ましい。
【００８０】
そこで、本実施形態では、制御部１１０は、処理開始時点になったとき、保存期間が閾値期間以上の印刷ジョブ（保存期間が長い印刷ジョブ）が所定条件を満たす印刷ジョブであると判断して保存期間が閾値期間以上の印刷ジョブの持ち点を減点する処理を行う。これにより、保存期間が長い印刷ジョブの持ち点が低くなるので、処理開始時点で保存期間が長い印刷ジョブが実行されるのを抑制することができる。すなわち、印刷物が排出されたまま放置されるのを抑制することができる。さらに、この構成では、印刷物が排出されたまま放置されることに起因して印刷物の内容が部外者に漏洩する、という不都合が発生するのも抑制することができる。
【００８１】
また、印刷ジョブの実行に際しては、定着部２３の温度を定着制御温度に昇温させるための電力が必要となるので、処理開始時点で印刷枚数の少ない印刷ジョブが単独で実行されるのは省電力の観点から好ましくない。言い換えると、印刷枚数の少ない印刷ジョブは他の印刷ジョブとまとめて実行するのが好ましい。
【００８２】
そこで、本実施形態では、制御部１１０は、処理開始時点になったとき、印刷枚数が閾値枚数未満の印刷ジョブ（印刷枚数が少ない印刷ジョブ）が所定条件を満たす印刷ジョブであると判断して印刷枚数が閾値枚数未満の印刷ジョブの持ち点を減点する処理を行う。これにより、印刷枚数が少ない印刷ジョブの持ち点が低くなるので、処理開始時点で印刷枚数が少ない印刷ジョブが単独で実行されるのを抑制することができる。すなわち、消費電力を抑制することができる。
【００８３】
また、場合によっては、要求元が互いに同じ複数の印刷ジョブ（同一要求元ジョブ）が保存された状態になることがある。この場合、要求元が互いに同じ複数の同一要求元ジョブが処理開始時点でまとめて実行されると、画像形成装置１００に印刷物を取りに行く回数が１回で済むので、要求元ユーザーの利便性が向上する。
【００８４】
そこで、本実施形態では、制御部１１０は、処理開始時点になったとき、同一要求元ジョブが所定条件を満たす印刷ジョブであると判断して同一要求元ジョブの持ち点に加点する処理を行う。これにより、要求元が互いに同じ複数の同一要求元ジョブの各持ち点がそれぞれ高くなるので、要求元が互いに同じ複数の同一要求元ジョブがまとめて実行される可能性が高くなる。
【００８５】
なお、本実施形態では、制御部１１０は、持ち点が閾値点数以上になった同一要求元ジョブが存在するとき、持ち点が閾値点数以上になった同一要求元ジョブと要求元が同じ全ての同一要求元ジョブを印刷部２に実行させる。したがって、要求元が互いに同じ複数の同一要求元ジョブのうち、或る同一要求元ジョブの持ち点が閾値点数未満であっても、他の同一要求元ジョブの持ち点が閾値点数以上であれば、要求元が互いに同じ複数の同一要求元ジョブがまとめて実行される。
【００８６】
また、印刷物が排出されていない排出トレイ４１が存在しないとき（排出トレイ４１に印刷物が残っているとき）、記憶部１２０に保存されている印刷ジョブが実行されると、当該印刷ジョブの印刷物と既存の印刷物とが混在した状態になるので、仕分け作業が大変になる。したがって、印刷物が排出されていない排出トレイ４１が存在しないときには、記憶部１２０に保存されている印刷ジョブを実行しない方が良い。
【００８７】
そこで、本実施形態では、制御部１１０は、処理開始時点になったとき、印刷物が排出されていない排出トレイ４１が存在しなければ処理対象に設定した全ての印刷ジョブが所定条件を満たす印刷ジョブであると判断して処理対象に設定した全ての印刷ジョブの持ち点を減点する処理を行う。これにより、印刷物が排出されていない排出トレイ４１が存在しないときに、記憶部１２０に保存されている印刷ジョブが実行されるのを抑制することができる。
【００８８】
さらに、制御部１１０は、排出検知部４２の出力値に基づき印刷物が排出トレイ４１に排出されている状態から排出されていない状態になったことを検知したとき、処理開始時点になったと判断する。これにより、排出トレイ４１に印刷物が残っていないときに、記憶部１２０に保存されている印刷ジョブを実行させることができる。
【００８９】
また、本実施形態では、制御部１１０は、処理開始時点になったとき、定着部２３の温度が閾値温度以上であれば処理対象に設定した全ての印刷ジョブが所定条件を満たす印刷ジョブであると判断して処理対象に設定した全ての印刷ジョブの持ち点に加点する処理を行う。これにより、記憶部１２０に保存されている印刷ジョブが実行されても、定着部２３の温度は閾値温度以上である（定着部２３の温度を定着制御温度に昇温させるのに必要な電力が小さい）ので、消費電力を抑制することができる。
【００９０】
さらに、制御部１１０は、温度検知部２４の出力値に基づき定着部２３の温度が閾値温度よりも低い温度から閾値温度に達したことを検知したとき、処理開始時点になったと判断する。これにより、定着部２３の温度が閾値温度以上のときに、記憶部１２０に保存されている印刷ジョブを実行させることができる。
【００９１】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【００９２】
たとえば、上記実施形態では、保存期間が閾値期間以上の印刷ジョブが第１条件を満たす印刷ジョブであると制御部１１０が判断し、第１条件を満たす印刷ジョブの持ち点を減点する処理を制御部１１０が行うよう構成したが、本発明はこれに限らず、保存期間が閾値期間未満の印刷ジョブが第１条件を満たす印刷ジョブであると制御部１１０が判断し、第１条件を満たす印刷ジョブの持ち点に加点する処理を制御部１１０が行うよう構成してもよい。
【００９３】
また、上記実施形態では、印刷枚数が閾値枚数未満の印刷ジョブが第２条件を満たす印刷ジョブであると制御部１１０が判断し、第２条件を満たす印刷ジョブの持ち点を減点する処理を制御部１１０が行うよう構成したが、本発明はこれに限らず、印刷枚数が閾値枚数以上の印刷ジョブが第２条件を満たす印刷ジョブであると制御部１１０が判断し、第２条件を満たす印刷ジョブの持ち点に加点する処理を制御部１１０が行うよう構成してもよい。
【００９４】
また、上記実施形態では、同一要求元ジョブが第３条件を満たす印刷ジョブであると制御部１１０が判断し、同一要求元ジョブの持ち点に加点する処理を制御部１１０が行うよう構成したが、本発明はこれに限らず、同一要求元ジョブ以外の印刷ジョブが第３条件を満たす印刷ジョブであると制御部１１０が判断し、同一要求元ジョブ以外の印刷ジョブの持ち点を減点する処理を制御部１１０が行うよう構成してもよい。
【００９５】
また、上記実施形態では、印刷物が排出されていない排出トレイ４１が存在しなければ処理対象に設定した全ての印刷ジョブが第４条件を満たす印刷ジョブであると制御部１１０が判断し、処理対象に設定した全ての印刷ジョブの持ち点を減点する処理を制御部１１０が行うよう構成したが、本発明はこれに限らず、印刷物が排出されていない排出トレイ４１が存在すれば処理対象に設定した全ての印刷ジョブが第４条件を満たす印刷ジョブであると制御部１１０が判断し、処理対象に設定した全ての印刷ジョブの持ち点に加点する処理を制御部１１０が行うよう構成してもよい。
【００９６】
また、上記実施形態では、第１〜第５判断処理の全てを制御部１１０が行い、その結果に基づき、所定条件を満たす印刷ジョブを制御部１１０が判別するよう構成したが、本発明はこれに限らず、第１〜第５判断処理のいずれかの判断処理が省略されてもよい。
【符号の説明】
【００９７】
２  印刷部
４  仕分け装置
２３  定着部
２４  温度検知部
４１  排出トレイ
４２  排出検知部
１１０  制御部
１２０  記憶部
１３０  通信部
【図１】
2018069686.tif 000003
【図２】
2018069686.tif 000004
【図３】
2018069686.tif 000005
【図４】
2018069686.tif 000006